(57)【要約】    【課題】  エレベーター等の室内のコーナー部に省スペースにて設置でき、効率的な空気循環が可能な空気浄化装置を提供すること。    【解決手段】  空気浄化装置１は、空気流通口２Ａ、２Ｂの設けられた筐体１０内に、光触媒による空気浄化を行うための空気浄化ユニット３が備えられてなり、空気浄化ユニット３は送風ファン３１、光触媒３２ならびに光触媒励起用光源３３を備え、空気流通口２Ａ、２Ｂは筐体１０の前面上端側と下端側に設けられ、少なくともいずれか一方の空気流通口は斜め方向に開口していることを、特徴的な構成とする。【選択図】  図１
2007007115.tif 000002
【特許請求の範囲】
【請求項１】
空気流通口の設けられた筐体内に、光触媒による空気浄化を行うための空気浄化ユニットが備えられてなる空気浄化装置であって、該空気浄化ユニットは送風ファン、光触媒ならびに光触媒励起用光源からなり、該空気流通口は該筐体の前面上端側と下端側に設けられ、上端側または下端側の少なくともいずれか一方の空気流通口は斜め方向に開口していることを特徴とする、空気浄化装置。
【請求項２】
空気流通口の設けられた筐体内に、光触媒による空気浄化を行うための空気浄化ユニットが備えられてなる空気浄化装置であって、該空気浄化ユニットは送風ファン、光触媒ならびに光触媒励起用光源からなり、該空気流通口は該筐体の前面上端側と下端側に設けられ、上端側の空気流通口は斜め上方向に開口しており、一方下端側の空気流通口は斜め下方向に開口していることを特徴とする、空気浄化装置。
【請求項３】
前記筐体は、室内のコーナー部に本装置を設置する際に筐体後方部が該コーナー部を形成する各壁面に対して適合するように、筐体後方部には相互に略直角をなす外壁部が形成されていることを特徴とする、請求項１または２に記載の空気浄化装置。
【請求項４】
前記筐体前面部の中央部は、その横断面形状が、略円弧状または略直線状であることを特徴とする、請求項１ないし３のいずれかに記載の空気浄化装置。
【請求項５】
前記空気流通口の開口部が本装置前面に対してなす角度は、１００°〜１７０°、または１２０°〜１５０°であることを特徴とする、請求項１ないし４のいずれかに記載の空気浄化装置。
【請求項６】
前記空気流通口のうち、吹き出し口の前流側には、マイナスイオン発生ユニットが設けられていることを特徴とする、請求項１ないし５のいずれかに記載の空気浄化装置。
【請求項７】
前記筐体はその側面視形状が、前面部を上底とする略台形であり、上下の各斜辺部分に当たる面に前記空気流通口が設けられていることを特徴とする、請求項１ないし６のいずれかに記載の空気浄化装置。
【請求項８】
請求項１ないし７のいずれかに記載の空気浄化装置であって、複数の本装置を縦方向に連結して用いるための連結器を備えていることを特徴とする、空気浄化装置。
【請求項９】
請求項７に記載の空気浄化装置であって、複数の本装置を縦方向に連結して用いるための連結器を備えており、該連結器は、一方の装置の前記空気流通口設置面と、他方の装置の空気流通口設置面とに適合するように、側面視略台形状の形状を備えていることを特徴とする、空気浄化装置。
【請求項１０】
請求項１ないし９のいずれかに記載の空気浄化装置であって、本装置を下方から支持するためのスタンドを備えていることを特徴とする、空気浄化装置。
【請求項１１】
エレベーター室内のコーナー部に適合させて設置できる形状を備えていることを特徴とする、請求項１ないし１０のいずれかに記載の空気浄化装置。
【発明の詳細な説明】
【技術分野】
【０００１】
本発明は空気浄化装置に係り、特に、エレベーターなどの室内のコーナー部に省スペースにて設置でき、効率的な空気循環によって室内の空気を良好に浄化することのできる、空気浄化装置に関する。
【背景技術】
【０００２】
光触媒を用いた空気浄化装置は、オフィス・店舗・ホテル・工場・自動車内・住居など、さまざまな場所で用いられている(特許文献１、２）。
【０００３】
【特許文献１】特開２００５−１６１０２２「空気清浄ユニットおよび空気調和装置」
【特許文献２】特開２００５−１６０９１４「空気浄化装置」
【発明の開示】
【発明が解決しようとする課題】
【０００４】
しかし、たとえばエレベーターなど、入退室が頻繁になされ、一人当たりの在室時間が短い空間内における空気浄化に適した装置は、いまだ提供されていない。
【０００５】
本発明が解決しようとする課題は、上記従来技術の状況を踏まえ、エレベーターなどの室内のコーナー部に省スペースにて設置でき、効率的な空気循環によって室内の空気を良好に浄化することができる空気浄化装置を提供することである。
【課題を解決するための手段】
【０００６】
本願発明者は上記課題について検討した結果、空気吸込み口および吐出し口の構成に改善を加えることで空気の循環効率を高め、また全体形状を見直すことで省スペースを図ることができることに想到し、本発明に至った。すなわち、上記課題を解決するための手段として本願で特許請求される発明、もしくは少なくとも開示される発明は、以下のとおりである。
【０００７】
（１）  空気流通口の設けられた筐体内に、光触媒による空気浄化を行うための空気浄化ユニットが備えられてなる空気浄化装置であって、該空気浄化ユニットは送風ファン、光触媒ならびに光触媒励起用光源からなり、該空気流通口は該筐体の前面上端側と下端側に設けられ、上端側または下端側の少なくともいずれか一方の空気流通口は斜め方向に開口していることを特徴とする、空気浄化装置。
（２）  空気流通口の設けられた筐体内に、光触媒による空気浄化を行うための空気浄化ユニットが備えられてなる空気浄化装置であって、該空気浄化ユニットは送風ファン、光触媒ならびに光触媒励起用光源からなり、該空気流通口は該筐体の前面上端側と下端側に設けられ、上端側の空気流通口は斜め上方向に開口しており、一方下端側の空気流通口は斜め下方向に開口していることを特徴とする、空気浄化装置。
（３）  前記筐体は、室内のコーナー部に本装置を設置する際に筐体後方部が該コーナー部を形成する各壁面に対して適合するように、筐体後方部には相互に略直角をなす外壁部が形成されていることを特徴とする、（１）または（２）に記載の空気浄化装置。
（４）  前記筐体前面部の中央部は、その横断面形状が、略円弧状または略直線状であることを特徴とする、（１）ないし（３）のいずれかに記載の空気浄化装置。
（５）  前記空気流通口の開口部が本装置前面に対してなす角度は、１００°〜１７０°、または１２０°〜１５０°であることを特徴とする、（１）ないし（４）のいずれかに記載の空気浄化装置。
【０００８】
（６）  前記空気流通口のうち、吹き出し口の前流側には、マイナスイオン発生ユニットが設けられていることを特徴とする、（１）ないし（５）のいずれかに記載の空気浄化装置。
（７）  前記筐体はその側面視形状が、前面部を上底とする略台形であり、上下の各斜辺部分に当たる面に前記空気流通口が設けられていることを特徴とする、（１）ないし（６）のいずれかに記載の空気浄化装置。
（８）  （１）ないし（７）のいずれかに記載の空気浄化装置であって、複数の本装置を縦方向に連結して用いるための連結器を備えていることを特徴とする、空気浄化装置。
（９）  （７）に記載の空気浄化装置であって、複数の本装置を縦方向に連結して用いるための連結器を備えており、該連結器は、一方の装置の前記空気流通口設置面と、他方の装置の空気流通口設置面とに適合するように、側面視略台形状の形状を備えていることを特徴とする、空気浄化装置。
（１０）  （１）ないし（９）のいずれかに記載の空気浄化装置であって、本装置を下方から支持するためのスタンドを備えていることを特徴とする、空気浄化装置。
（１１）  エレベーター室内のコーナー部に適合させて設置できる形状を備えていることを特徴とする、（１）ないし（１０）のいずれかに記載の空気浄化装置。
【発明の効果】
【０００９】
本発明の空気浄化装置は上述のように構成されるため、これによれば、エレベーターなどの室内のコーナー部に省スペースにて設置でき、効率的な空気循環によって、室内の浮遊細菌および外部から流入する細菌類を除去するなど、室内の空気を良好に浄化することができる。
【００１０】
つまり本発明装置は、内部に送風ファン・光触媒・光触媒励起用光源を有し、空気の吸込み口および吐出し口を筐体前面に対して斜め方向に向かせる構成により、空気の循環効率を従来よりもよくすることができる。
【００１１】
また本発明装置は、筐体の横断面形状を、たとえば三角形以上の多角形もしくは扇型、あるいはそれらに類する形状など適宜の形状として、エレベーターなどの室内のコーナー部に無駄なく適合できる形状とする構成によって、設置スペースの限られている比較的狭い空間内においても、問題なく設置することができる。
【００１２】
さらに連結器を使用することにより、本装置を複数個直列に接続して、全体構成を設置場所にあわせた規模・大きさとすることもできる。
【発明を実施するための最良の形態】
【００１３】
以下、本発明を図面により詳細に説明する。
図１は、本発明の空気浄化装置の基本的構成例を示す縦断面図である。図示するように本発明装置１は、空気流通口２Ａ、２Ｂの設けられた筐体１０内に、光触媒による空気浄化を行うための空気浄化ユニット３が備えられてなるものであって、該空気浄化ユニット３は送風ファン３１、光触媒３２ならびに光触媒励起用光源３３を備えてなり、該空気流通口２Ａ、２Ｂは該筐体１０の前面上端側と下端側に設けられ、上端側または下端側の少なくともいずれか一方の空気流通口は斜め方向に開口していることを、主たる構成とする。
【００１４】
かかる構成により本空気浄化装置１では、送風ファン３１によって、空気流通口２Ａ、２Ｂの間で空気が流通する。すなわち、一方の空気流通口から装置１外の空気が筐体１０内部に流入した後、空気浄化ユニット３の光触媒３２による機能によって浄化処理され、浄化された清浄な空気が、他方の空気流通口から排出される。
【００１５】
本装置１の筐体１０の前面上端側と下端側に設けられた空気流通口２Ａ、２Ｂは、その少なくともいずれか一方が、鉛直方向でもなく水平方向でもなく、斜め方向に開口しているため、筐体１０内への吸気がより広角な範囲の空間から吸引してなされるか、もしくは筐体１０からの排気がより広角な範囲の空間に対して拡散してなされるか、少なくともそのいずれか一方の作用がなされるため、処理される空気の偏りの解消が速くなされ、空気の循環効率がよくなり、その結果、本装置１の設置される空間における空気浄化がより効率的になされる。
【００１６】
特に、設置空間がエレベーターのように狭い空間である場合は、空気流通口が水平方向や鉛直方向に向いて開口していると、空気の拡散範囲や吸引範囲の偏りの解消がより遅くならざるを得ないが、本発明装置によればかかる問題を解決し、空気の循環効率がよくなり、狭い室内における効率的な空気浄化作用を得ることができる。
【００１７】
図ではなお、両空気流通口２Ａ、２Ｂともに斜め方向に開口している構成例が示されている。つまり、上端側の空気流通口２Ａは斜め上方向に開口しており、一方下端側の空気流通口２Ｂは斜め下方向に開口している。このように、いずれの空気流通口とも被処理空間に対して斜めに開口させた構成は、本発明装置の空気の循環効率をさらに高め、空気浄化効率向上効果をより一層高めるため、望ましい。また図では、該空気浄化ユニット３は下方に送風ファン３１が設けられた構成が示されているが、本発明はかかる位置に限定されず、上方でもよい。また、空気流通の方向も、下から上、上から下、のいずれでもよい。
【００１８】
図において光触媒３２は、光触媒励起用光源３３からの紫外線照射によって励起されて機能する。光触媒３２としては、酸化チタンを担持したシート等を好適に用いることができる。また、光触媒励起用光源３３としては、紫外線ランプを好適に用いることができる。
【００１９】
図２は、図１に示した本発明空気浄化装置の平面図である。図示するように本装置１の筐体１０は、室内のコーナー部に本装置１を設置する際に筐体後方部が該コーナー部を形成する各壁面に対して適合するように、筐体後方部には相互に略直角をなす外壁部１０Ｒ１、１０Ｒ２が形成された構成とすることができる。
【００２０】
つまり、図において該外壁部１０Ｒ１と１０Ｒ２とは相互に略直角をなすように構成されているが、各外壁部が、本装置１の設置される室内のコーナー部の両壁面に適合するため、該コーナー部の壁に本装置１を取り付けたり、あるいはその床面に設置することが可能であり、省スペースを図ることができる。特に、エレベーター室内等の狭い空間において、極めて便利である。
【００２１】
図においては、該外壁部１０Ｒ１、１０Ｒ２が隣接して設けられ、コーナー部をなす両壁にほぼ隙間なく装置が設置され得る例が示されているが、本発明はこれに限定されない。たとえば、両外壁部の間に前面部１０Ｆと平行に外壁部が設けられ、筐体後方部とコーナー部との間に隙間があるように装置が設置され得るものも、本発明に該当する。
【００２２】
図３は、図１、２に示した本発明空気浄化装置の、正面（ａ）、右側面（ｂ）、および背面（ｃ）の各図を示したものである。図示するように本装置１は、筐体１０の側面視形状が、前面部１０Ｆを上底とする略台形であり、上下の各斜辺部分に当たる面に前記空気流通口２Ａ等が設けられた構成を採ることができる。
【００２３】
図４は、本発明空気浄化装置の別の構成例についての平面図である。図２、４に示すように本装置１（図４では２１）は、その筐体前面部の中央部の横断面形状を、特に、略円弧状（図４  ２１０Ｆ）、または略直線状（図２  １０Ｆ）とすることができる。かかる構成は、本装置の省スペース効果に寄与する。
【００２４】
本装置の空気流通口２Ａ等、すなわち開口部が本装置前面１０Ｆ等に対してなす角度は、特に、１００°〜１７０°、または望ましくは１２０°〜１５０°の範囲とすることができる。かかる角度範囲において、良好な、また一層良好な空気の循環が得られる。なお、図では、約１３５°程度の例を示している。
【００２５】
図１に示す通り、本空気浄化装置１には、空気流通口のうち吹き出し口の前流側に、マイナスイオン発生ユニット５を設けることもできる。空気浄化ユニット３によって浄化された空気に、さらににマイナスイオンを付加して筐体１０外に排出することができる。
【００２６】
図５は、図１等に例示した本装置１の、室内コーナー部への設置例を示す説明図である。図示するように、室内の壁Ｗ１、Ｗ２からなるコーナー部に本装置１を適合させて無駄なく取り付けることができ、省スペース効果を奏するとともに、空気流通口２Ａ、２Ｂはそれぞれ斜め上方、下方に向けて開口しているため、空気の循環効率が良く、室内の空気浄化が効果的に行われる。
【００２７】
図６は、連結器を備えた本発明空気浄化装置の構成例を示す平面図、また、
図７は、図６の連結器により空気浄化装置を連結する例を示す側面図である。これらに例示するように本装置には、複数の本装置３１、４１を縦方向に連結して用いるための連結器３６（連結ベース）、３７（連結カバー）を備えることができる。これにより、必要に応じて、複数の本装置３１、４１を縦に連結して室内のコーナー部に設置することができる。また、図７に示すように、二の装置３１、４１の間は電源アダプター３８で接続した構成としてもよい。
【００２８】
各図に示す連結器３６等の構造は例示であり、本発明はこれに限定されない。たとえば連結器は、一方の装置の空気流通口設置面と、他方の装置の空気流通口設置面とに適合するように、側面視略台形状の形状を備えた構成のものとしてもよい。
【００２９】
連結器を用いる場合、図７に示すように、連結する両空気浄化装置の空気流通口が連結器により覆われる場合は、各流通口における空気の出入りを妨げないよう、たとえば網状構造のカバーなどにより連結器を構成することができる。
【００３０】
また、連結器を用いて二の空気浄化装置を連結する場合、たとえば下方の装置の流通口から排出された浄化空気がそのまま上方の装置の流通口に流入しないよう、各装置の上下を逆にして連結することとしてもよい。
【００３１】
以上述べたように、本発明装置の主要な例では、その上下両方において斜めにカットされた形状を有する。したがって、室内壁面に取り付けられる場合は問題ないが、これをそのまま床上に載置することはできない。したがって、かかる場合のために、本装置を下方から支持するためのスタンドを当初から備えた構成とし、必要に応じてこれを装着して設置するものとすることができる。
【産業上の利用可能性】
【００３２】
本発明の空気浄化装置によれば、エレベーターなどの室内のコーナー部への設置が便利であり、効率的な空気循環によって室内の空気を良好に浄化することができる。したがって、産業上利用価値が高い発明である。
【図面の簡単な説明】
【００３３】
【図１】本発明の空気浄化装置の基本的構成例を示す縦断面図である。
【図２】図１に示した本発明空気浄化装置の平面図である。
【図３】図１、２に示した本発明空気浄化装置の、正面（ａ）、右側面（ｂ）、および背面（ｃ）の各図を示したものである。
【図４】本発明空気浄化装置の別の構成例についての平面図である。
【図５】図１等に例示した本装置１の、室内コーナー部への設置例を示す説明図である。
【図６】連結器を備えた本発明空気浄化装置の構成例を示す平面図である。
【図７】図６の連結器により空気浄化装置を連結する例を示す側面図である。
【符号の説明】
【００３４】
１、２１、３１、４１…空気浄化装置
２Ａ、２Ｂ、２２Ａ…空気流通口
３…空気浄化ユニット
３１…送風ファン
３２…光触媒
３３…光触媒励起用光源
３４…ランプ点灯回路
４…プレフィルタ
５…マイナスイオン発生ユニット
１０、２１０…筐体
１０Ｆ、２１０Ｆ…筐体前面部
１０Ｒ１、１０Ｒ２、２１０Ｒ１、２１０Ｒ２…外壁部
３６…連結器（連結ベース）
３７…連結器（連結カバー）
３８…電源アダプター
ＣＬ…天井、ＦＬ…床、  Ｗ１、Ｗ２…壁
【図１】
2007007115.tif 000003
【図２】
2007007115.tif 000004
【図３】
2007007115.tif 000005
【図４】
2007007115.tif 000006
【図５】
2007007115.tif 000007
【図６】
2007007115.tif 000008
【図７】
2007007115.tif 000009